(57)【要約】【課題】  本発明は使用者が指輪のサイズを調整できるようにしても、使用状態ではそのサイズ調整部が見えずらく、見苦しくなるのを阻止して、美観の向上を図ることができる指輪を得るにある。【解決手段】  宝飾品を固定状態で支持することができる土台飾りと、この土台飾りの一方の底面より下方へ突出するように一体形成された半円弧状の固定リング部材と、この固定リング部材の根元部分にボルト、ナットで寸法調整可能に取付けることができる取付手段で取付けられた、該固定リング部材と対向する半円弧状の可動リング部材とで指輪を構成している。【選択図】  図５
2011019729.tif 000002
【特許請求の範囲】
【請求項１】
宝飾品を固定状態で支持することができる土台飾りと、この土台飾りの一方の底面より下方へ突出するように一体形成された半円弧状の固定リング部材と、この固定リング部材の根元部分にボルト、ナットで寸法調整可能に取付けることができる取付手段で取付けられた、該固定リング部材と対向する半円弧状の可動リング部材とからなることを特徴とする指輪。
【請求項２】
可動リング部材は固定リング部材方向に回動不能に平行移動できるように上面が土台飾りの底面に当接、あるいは土台飾りの底面に形成されたガイド溝によってガイドされるように構成されていることを特徴とする請求項１記載の指輪。
【請求項３】
可動リング部材の上面と土台飾りの底面とは吸着固定できるように強磁性体、磁性材料で形成されていることを特徴とする請求項１記載の指輪。
【発明の詳細な説明】
【技術分野】
【０００１】
本発明は使用者でも指輪のサイズを調整して使用することができる指輪に関する。
【背景技術】
【０００２】
従来、この種の指輪は宝石が取付けられた部位の反対側のリング部を切り欠き、タンバックルや長さ調整可能な連結部材を設けている。
したがって、このような指輪をつけた場合、タンバックルや連結部材が目につきやすく、見苦しくなるという装飾品としての最大の欠点があった。
【先行技術文献】
【特許文献】
【０００３】
【特許文献１】実用新案登録第３００１７７７号
【特許文献２】実用新案登録第３０２１２３３号
【発明の概要】
【発明が解決しようとする課題】
【０００４】
本発明は以上のような従来の欠点に鑑み、使用者が指輪のサイズを調整できるようにしても、使用状態ではそのサイズ調整部が見えずらく、見苦しくなるのを阻止して美観の向上を図ることができる指輪を提供することを目的としている。
【０００５】
本発明の前記ならびにそのほかの目的と新規な特徴は次の説明を添付図面と照らし合わせて読むと、より完全に明らかになるであろう。
【０００６】
ただし、図面はもっぱら解説のためのものであって、本発明の技術的範囲を限定するものではない。
【課題を解決するための手段】
【０００７】
上記目的を達成するために、本発明は宝飾品を固定状態で支持することができる土台飾りと、この土台飾りの一方の底面より下方へ突出するように一体形成された半円弧状の固定リング部材と、この固定リング部材の根元部分にボルト、ナットで寸法調整可能に取付けることができる取付手段で取付けられた、該固定リング部材と対向する半円弧状の可動リング部材とで指輪を構成している。
【発明の効果】
【０００８】
以上の説明から明らかなように、本発明にあっては次に列挙する効果が得られる。
（１）宝飾品を固定状態で支持することができる土台飾りと、この土台飾りの一方の底面より下方へ突出するように一体形成された半円弧状の固定リング部材と、この固定リング部材の根元部分にボルト、ナットで寸法調整可能に取付けることができる取付手段で取付けられた、該固定リング部材と対向する半円弧状の可動リング部材とで構成されているので、ボルト、ナットで可動リング部材の位置を調整し、固定リング部材と可動リング部材のリングのサイズを調整することができる。  
このリングのサイズの調整はボルト、ナットで行なうので、使用者でも楽に行なうことができる。
（２）前記（１）により、土台飾りの下部位置である固定リング部材の根元部分にボルト、ナットを配置しているので、ボルト、ナットは使用時には土台飾りによって隠れ、該ボルト、ナット部が見えずらくなって、美観の向上を図ることができる。
（３）前記（１）によって、土台飾りに装飾を施すことにより、より装飾性を向上させることができる。
（４）請求項２も前記（１）〜（３）と同様な効果が得られるとともに、可動リング部材の移動時に、該可動リング部材の回動が阻止され、楽に可動リング部材の移動を行ない、リングのサイズを調整することができる。
（５）請求項３も前記（１）〜（４）と同様な効果が得られる。
【図面の簡単な説明】
【０００９】
【図１】本発明を実施するための第１の形態の正面図。
【図２】本発明を実施するための第１の形態の側面図。
【図３】本発明を実施するための第１の形態の平面図。
【図４】本発明を実施するための第１の形態の底面図。
【図５】図３の５−５線に沿う断面図。
【図６】本発明を実施するための第１の形態のナットの説明図。
【図７】本発明を実施するための第１の形態のドライバーの説明図。
【図８】本発明を実施するための第１の形態の可動リング部材の位置調整した状態の説明図。
【図９】本発明を実施するための第２の形態の正面図。
【図１０】本発明を実施するための第２の形態の側面図。
【図１１】図１０の１１−１１線に沿う断面図。
【図１２】本発明を実施するための第３の形態の正面図。
【図１３】本発明を実施するための第３の形態の側面図。
【図１４】図１３の１４−１４線に沿う断面図。
【図１５】本発明を実施するための第４の形態の正面図。
【図１６】本発明を実施するための第４の形態の平面図。
【図１７】図１６の１７−１７線に沿う断面図。
【図１８】本発明を実施するための第５の形態の正面図。
【図１９】本発明を実施するための第５の形態の側面図。
【図２０】図１９の２０−２０線に沿う断面図。
【発明を実施するための形態】
【００１０】
以下、図面に示す本発明を実施するための形態により、本発明を詳細に説明する。
【００１１】
図１ないし図８に示す本発明を実施するための第１の形態において、１は本発明のリングのサイズ調整が使用者でもできる指輪で、この指輪１は宝石や装飾を施した装飾体を用いた宝飾品２を固定状態で支持することができる宝飾品係止爪３、３、３が形成され、かつ外周部に模様４が形成されたほぼ円盤状の土台飾り５と、この土台飾り５の一方の底面より下方へ突出するように一体形成された半円弧状の固定リング部材６と、この固定リング部材６と対向するように前記土台飾り５の他方の底面に配置される半円弧状の可動リング部材７と、前記固定リング部材６の根元部分で前記可動リング部材７の位置を調整できるように取付ける取付手段８とで構成されている。
【００１２】
前記取付手段８は前記固定リング部材６の根元部分の外側に形成されたボルト頭部挿入凹部９と、このボルト頭部挿入凹部９と連通するように形成されたボルト挿入孔１０と、このボルト挿入孔１０と対応する前記土台飾り５の底面に頭部７ａを当接した可動リング部材７部位に形成したねじ孔１１と、このねじ孔１１と連通するように可動リング部材７の根元部分の外側に形成されたナット挿入凹部１２と、前記ボルト頭部挿入凹部９よりボルト挿入孔１０を通って、前記可動リング部材７のねじ孔１１と螺合されるボルト１３と、このボルト１３と螺合され、かつナット挿入凹部１２へ入る先端部側が十字の係止溝１４が形成され、図７で示す特殊なドライバー１５、１６で回転されるナット１７とで構成されている。
【００１３】
なお、前記ボルト頭部挿入凹部９に挿入されるボルト１３の軸心方向の移動をスムーズにできないような嵌合であれば問題はないが、比較的スムーズに軸心方向に移動する場合には、ボルト１３の回転はできるが、軸心方向の移動を阻止する止め輪を用いてもよい。
また、ボルト１３と土台飾り５とを磁気で吸着するように磁性材料や強磁性体を用いるとよい。
【００１４】
上記構成の指輪１はボルト１３、ナット１７を用いた取付手段８によって、可動リング部材７の位置を調節して、リングのサイズを図５、図８に示すように調整して使用することができる。
【００１５】
また、ボルト１３、ナット１７を用いた取付手段８は土台飾り５の下部位置の固定リング部材６の根元部分に配置されているため、使用状態では土台飾り５で隠れるようになり、見えずらく、見苦しくなるのを防止することができる。    
【００１６】
[発明を実施するための異なる形態]
次に、図９ないし図２０に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００１７】
図９ないし図１１に示す本発明を実施するための第２の形態において、前記本発明を実施するための第１の形態と主に異なる点は、土台飾り５の可動リング部材７が移動する部位に、該可動リング部材７の頭部７ａが入って固定リング部材６方向にだけスライド移動できる可動リング部材スライド溝１８を形成した点で、このように土台飾り５の底面に可動リング部材スライド溝１８を形成した指輪１Ａにしても、前記本発明を実施するための第１の形態と同様な作用効果が得られるとともに、可動リング部材７が可動リング部材スライド溝１８に沿って固定リング部材６方向にスライド移動するため、ボルト１３、ナット１７でのリングサイズの調節を容易に行なうことができる。
【００１８】
図１２ないし図１４に示す本発明を実施するための第３の形態において、前記本発明を実施するための第２の形態と主に異なる点は、固定リング部材６と可動リング部材７にボルト挿入孔１０、１０を形成し、固定リング部材６と可動リング部材７間に位置する部位のボルト１３の外周部に筒状のコイルスプリングやゴム等の弾性体を用いた弾性部材１９を介装し、常時可動リング部材７を外方へ押し圧できるようにした取付手段８Ａを用いた点で、このような取付手段８Ａを用いて構成した指輪１Ｂにしても、前記本発明を実施するための第２の形態と同様な作用効果が得られる。
【００１９】
図１５ないし図１７に示す本発明を実施するための第４の形態において、前記本発明を実施するための第１の形態と主に異なる点は、幅方向に長い楕円形状の土台飾り５Ａを用いるとともに、固定リング部材６と可動リング部材７の対向する根元部分に内側へ突出するボルト１３Ａ、１３Ａを固定し、固定リング部材６と可動リング部材７の内側面の前記ボルト１３Ａ、１３Ａの外周部に筒状の接続部材挿入凹部２０、２０を形成し、この接続部材挿入凹部２０、２０へ挿入可能で、かつ前記ボルト１３Ａ、１３Ａと螺合し、正・逆回転で、該ボルト１３Ａ、１３Ａの間隔が広くなったり、狭くなったりする逆ねじ孔２１、２２が形成された接続部材２３とで構成した取付手段８Ｂを用いた点で、このような土台飾り５Ａと取付手段８Ｂを用いて構成した指輪１Ｃにしても、前記本発明を実施するための第１の形態と同様な作用効果が得られる。
【００２０】
図１８ないし図２０に示す本発明を実施するための第５の形態において、前記本発明を実施するための第３の実施の形態と主に異なる点は、ボルト１３の頭部１３ａとナット１７の一部が固定リング部材６と可動リング部材７の外側面より突出するような取付手段８Ｃを用いた点で、このような取付手段８Ｃを用いて構成した指輪１Ｄにしても、前記本発明を実施するための第３の形態と同様な作用効果が得られる。
【産業上の利用可能性】
【００２１】
本発明はリングのサイズを調整できる指輪を製造する産業で利用される。
【符号の説明】
【００２２】
１、１Ａ、１Ｂ、１Ｃ、１Ｄ：指輪、
２：宝飾品、                      ３：宝飾品係止爪、
４：模様、                        ５、５Ａ：土台飾り、  
６：固定リング部材、              ７：可動リング部材、
８、８Ａ、８Ｂ、８Ｃ：取付手段、
９：ボルト頭部挿入凹部、          １０：ボルト挿入孔、
１１：ねじ孔、                    １２：ナット挿入凹部、
１３、１３Ａ：ボルト、            １４：係止溝、
１５、１６：ドライバー、          １７：ナット、
１８：可動リング部材スライド溝、  １９：弾性部材、
２０：接続部材挿入凹部、          ２１、２２：ねじ孔、
２３：接続部材。
【図１】
2011019729.tif 000003
【図２】
2011019729.tif 000004
【図３】
2011019729.tif 000005
【図４】
2011019729.tif 000006
【図５】
2011019729.tif 000007
【図６】
2011019729.tif 000008
【図７】
2011019729.tif 000009
【図８】
2011019729.tif 000010
【図９】
2011019729.tif 000011
【図１０】
2011019729.tif 000012
【図１１】
2011019729.tif 000013
【図１２】
2011019729.tif 000014
【図１３】
2011019729.tif 000015
【図１４】
2011019729.tif 000016
【図１５】
2011019729.tif 000017
【図１６】
2011019729.tif 000018
【図１７】
2011019729.tif 000019
【図１８】
2011019729.tif 000020
【図１９】
2011019729.tif 000021
【図２０】
2011019729.tif 000022